(57)【要約】  基地局装置と通信する端末装置であって、複数の無線リソースを端末装置に割り当てるか否かを基地局装置で決定した決定結果を基地局装置から受信する決定結果受信部と、決定結果受信部が受信した決定結果に基づいて各端末装置が無線リソースを割り当てられたか否かについて判定する判定部と、判定部の判定結果に基づいて基地局装置への信号の送信に利用する無線リソースを決定する第１の無線リソース決定部と、第１の無線リソース決定部が決定した無線リソースを利用して基地局装置に信号を送信する信号送信部とを備える。
2008155931.tif 000002
【特許請求の範囲】
【請求項１】
基地局装置と通信する端末装置であって、
複数の無線リソースを端末装置に割り当てるか否かを前記基地局装置で決定した決定結果を前記基地局装置から受信する決定結果受信部と、
前記決定結果受信部が受信した決定結果に基づいて各端末装置が無線リソースを割り当てられたか否かについて判定する判定部と、
前記判定部の判定結果に基づいて前記基地局装置への信号の送信に利用する無線リソースを決定する第１の無線リソース決定部と、
前記第１の無線リソース決定部が決定した無線リソースを利用して前記基地局装置に信号を送信する信号送信部と、
を備えることを特徴とする端末装置。
【請求項２】
前記第１の無線リソース決定部において決定した無線リソースを用いて送信する信号は、前記基地局装置から受信した信号に対する受信応答信号であることを特徴とする請求項１記載の端末装置。
【請求項３】
端末装置と通信する基地局装置であって、
複数の無線リソースに割り当て候補の端末装置を割り当てる候補端末装置割当部と、
前記候補端末装置割当部が割り当てた複数の無線リソースの割り当て候補の端末装置に対して無線リソースを割り当てるか否かを決定する決定部と、
前記決定部の決定結果を各端末装置に送信する第１の決定結果送信部と、
前記決定部の決定結果に基づいて前記端末装置からの信号の受信に利用する無線リソースを決定する第２の無線リソース決定部と、
を備えることを特徴とする基地局装置。
【請求項４】
前記第２の無線リソース決定部において決定した無線リソースを用いて受信する信号は、自基地局装置が送信した信号に対する受信応答信号であることを特徴とする請求項３記載の基地局装置。
【請求項５】
前記第２の無線リソース決定部において無線リソースを決定していない端末装置からの受信応答信号の受信に用いる無線リソースを決定する第３の無線リソース決定部と、
前記第３の無線リソース決定部の決定結果を前記第１の決定結果送信部から前記決定部の決定結果を送信した端末装置とは異なる端末装置に送信する第２の決定結果送信部と、
を備えることを特徴とする請求項４記載の基地局装置。
【請求項６】
基地局装置と端末装置とを備える無線通信システムであって、
前記基地局装置は、
複数の無線リソースに割り当て候補の端末装置を割り当てる候補端末装置割当部と、
前記候補端末装置割当部が割り当てた複数の無線リソースの割り当て候補の端末装置に対して無線リソースを割り当てるか否かを決定する決定部と、
前記決定部の決定結果を各端末装置に送信する第１の決定結果送信部と、
前記決定部の決定結果に基づいて前記端末装置からの信号の受信に利用する無線リソースを決定する第２の無線リソース決定部とを備え、
前記端末装置は、
前記第１の決定結果送信部より送信された前記決定部の決定結果を受信する決定結果受信部と、
前記決定結果受信部が受信した決定結果に基づいて各端末装置が無線リソースを割り当てられたか否かについて判定する判定部と、
前記判定部の判定結果に基づいて前記基地局装置への信号の送信に利用する無線リソースを決定する第１の無線リソース決定部と、
前記第１の無線リソース決定部が決定した無線リソースを利用して前記基地局装置に信号を送信する信号送信部とを備えることを特徴とする無線通信システム。
【請求項７】
前記第１の無線リソース決定部は、
前記決定結果受信部が受信した決定結果に基づいて無線リソースを割り当てた端末装置に対して前記複数の無線リソース内の端末装置に割り当てた無線リソースの位置に応じて無線リソースを割り当てることにより前記基地局装置への信号の送信に利用する無線リソースを決定することを特徴とする請求項６に記載の無線通信システム。
【請求項８】
前記第１の無線リソース決定部は、
前記決定結果受信部が受信した決定結果に基づいて無線リソースを割り当てた端末装置に対して前記複数の無線リソース内の端末装置に割り当てた無線リソースの位置から順に無線リソースを割り当てることにより前記基地局装置への信号の送信に利用する無線リソースを決定することを特徴とする請求項６に記載の無線通信システム。
【請求項９】
前記第１の無線リソース決定部は、
無線リソースを利用可能な端末装置に対して前記複数の無線リソースの端から順に無線リソースを割り当てることを特徴とする請求項７又は８に記載の無線通信システム。
【請求項１０】
前記第１の無線リソース決定部において決定した無線リソースを用いて送信する信号、及び前記第２の無線リソース決定部において決定した無線リソースを用いて受信する信号は、前記基地局装置が前記端末装置に対して送信した信号に対して前記端末装置が前記基地局装置に対して送信する受信応答信号であることを特徴とする請求項６記載の無線通信システム。
【請求項１１】
基地局装置と通信する端末装置のコンピュータを、
複数の無線リソースを端末装置に割り当てるか否かを前記基地局装置で決定した決定結果を前記基地局装置から受信する決定結果受信手段と、
前記決定結果受信手段が受信した決定結果に基づいて各端末装置が無線リソースを割り当てられたか否かについて判定する判定手段と、
前記判定手段の判定結果に基づいて前記基地局装置への信号の送信に利用する無線リソースを決定する第１の無線リソース決定手段と、
前記第１の無線リソース決定手段が決定した無線リソースを利用して前記基地局装置に受信応答信号を送信する信号送信手段と、
して機能させることを特徴とするプログラム。
【請求項１２】
端末装置と通信する基地局装置のコンピュータを、
複数の無線リソースに割り当て候補の端末装置を割り当てる候補端末装置割当手段と、
前記候補端末装置割当手段が割り当てた複数の無線リソースの割り当て候補の端末装置に対して無線リソースを割り当てる下否かを決定する決定手段と、
前記決定手段の決定結果を各端末装置に送信する第１の決定結果送信手段と、
前記決定手段の決定結果に基づいて前記端末装置からの受信応答信号の受信に利用する無線リソースを決定する第２の無線リソース決定手段と、
して機能させることを特徴とするプログラム。
【請求項１３】
基地局装置と端末装置とを用いた無線通信方法であって、
前記基地局装置は、
複数の無線リソースに割り当て候補の端末装置を割り当てる候補端末装置割当過程と、
前記候補端末装置割当過程で割り当てた複数の無線リソースの割り当て候補の端末装置に対して無線リソースを割り当てるか否かを決定する決定過程と、
前記決定過程の決定結果を各端末装置に送信する第１の決定結果送信過程と、
前記決定過程の決定結果に基づいて前記端末装置からの受信応答信号の受信に利用する無線リソースを決定する第２の無線リソース決定過程とを実行し、
前記端末装置は、
前記第１の決定結果送信過程より送信された前記決定過程の決定結果を受信する決定結果受信過程と、
前記決定結果受信過程で受信した決定結果に基づいて各端末装置が無線リソースを割り当てられたか否かについて判定する判定過程と、
前記判定過程の判定結果に基づいて前記基地局装置への受信応答信号の送信に利用する無線リソースを決定する第１の無線リソース決定過程と、
前記第１の無線リソース決定過程で決定した無線リソースを利用して前記基地局装置に信号を送信する信号送信過程とを実行することを特徴とする無線通信方法。
【発明の詳細な説明】
【技術分野】
【０００１】
本発明は、端末装置、基地局装置、無線通信システム、プログラム及び無線通信方法に関する。
本願は、２００７年６月１９日に、日本に出願された特願２００７−１６１２７０号に基づき優先権を主張し、その内容をここに援用する。
【背景技術】
【０００２】
３ＧＰＰ（3rd Generation Partnership Project）では、Ｗ‐ＣＤＭＡ（Wideband Code Division Multiple Access）方式が、セルラー移動通信の第三世代無線アクセス方式（３Ｇ）として標準化され、サービスが開始されている。また、３Ｇの進化（Evolved Universal Terrestrial Radio Access、以下、「ＥＵＴＲＡ」と称する。）及び３Ｇネットワークの進化（Evolved Universal Terrestrial Radio Access Network、以下、「ＥＵＴＲＡＮ」と称する。）が検討されている。また、ＥＵＴＲＡにおいて、基地局装置から端末装置への無線リンク（以下、「下りリンク」という）のアクセス方式として、ＯＦＤＭＡ（Orthogonal Frequency Division Multiple Access：直交周波数分割多元接続）方式が提案されている。（端末装置から基地局装置への無線リンクを上りリンクという。）【０００３】
ＯＦＤＭＡ方式において、無線リソースを有効に活用してパケットデータ伝送を効率よく行うスケジューリング方法（Channel dependent scheduling）の適用が検討されている。このスケジューリング方法は、サブキャリアブロック（Physical Resource Block：ＰＲＢ）毎、又はサブキャリア毎に各端末装置のチャネル状況を監視し、そのチャネル状況に基づいて各端末装置に無線リソースを割り当てる方法である。基地局装置は、各端末装置に割り当てた無線リソースに関する情報を、制御チャネルを用いて送信し、各端末装置は制御チャネルを受信し、自端末装置識別子を含む制御チャネルに含まれる無線リソースに関する情報を復号し、該当するデータチャネルの受信、復号を行う。【０００４】
また、端末装置毎にスケジューリング、制御チャネル送信を行うのではなく、端末装置群毎にスケジューリング、制御チャネル送信を行うグループスケジューリング方法が提案されている（非特許文献１）。提案されているグループスケジューリングは、端末装置に割り当てる無線リソースサイズ、無線リソース位置に制約を与えることにより端末装置毎の無線リソースに関する情報を圧縮し、一つの制御チャネルで多くの端末装置に無線リソースの割り当てを行う方法である。なお、無線リソース割り当てに制約を与えないスケジューリングをダイナミックスケジューリングと称する。【０００５】
上記のようなスケジューリング方法により無線リソースを割り当てられ、データチャネルを受信した端末装置は、受信応答信号を基地局装置に送信する。端末装置は、受信したデータチャネルを誤りなく復号できた場合には受信応答信号としてＡＣＫ（Acknowledgement）信号を上りリンクで送信し、誤りを検出した場合には受信応答信号としてＮＡＣＫ（Negative Acknowledgement）信号を上りリンクで送信する。基地局装置は、受信応答信号に基づいて下りリンクでパケットデータの再送制御を行う。【０００６】
なお、端末装置が受信したデータチャネルを誤りなく復号できた場合にのみＡＣＫとして受信応答信号を送信し、誤りを検出した場合に何も送信を行わないでＮＡＣＫを示すようにすることもできる。この場合、基地局装置は、例えば受信応答信号の受信電力レベルの閾値判定によりＡＣＫを受信したか否かの判定を行う。【０００７】
上りリンクにおける受信応答信号のデータチャネルを伴わない送信方法について、言い換えれば、受信応答信号からなる制御チャネルのみの送信方法について、端末装置間の多重はＦＤＭ（Frequency Division Multiplexing）とＣＤＭ（Code Division Multiplexing）を併用した方法を適用することがＥＵＴＲＡにおいて決定されている（非特許文献２）。また、システム帯域幅の端の帯域幅を用いて送信することが推奨されている（非特許文献３）。このような送信方法において、端末装置がどの無線リソースを用いて受信応答信号を送信するかについては、下りリンクデータチャネルの無線リソースインデックスや下りリンク制御チャネルインデックスと上りリンク受信応答信号の無線リソースインデックスを予め対応付けしておくことにより端末装置が認識する方法（インプリシット・マッピング（implicit mapping））や、受信応答信号の送信に用いる正確な無線リソース割り当て情報を基地局装置が端末装置に送信する方法（エクスプリシット・マッピング（explicit mapping））が提案されている（非特許文献４）。
なお、無線リソースインデックスとは、周波数インデックス、又は符号インデックス、又は周波数と符号を組み合わせたインデックスである。【０００８】
また、下りリンクデータチャネルの無線リソースインデックスと上りリンク受信応答信号の無線リソースインデックスが予め対応付けられた方法において、ある端末装置の下りリンクデータチャネルに複数の無線リソースが割り当てられた場合、端末装置は下りリンクデータチャネルの最初の無線リソースインデックスに対応付けられた上りリンク受信応答信号の無線リソースインデックスを用いるという方法も提案されている。
【非特許文献１】3GPP TSG-RAN-WG2＃57 Tdoc R2-070758 St.Louis,USA,12th-16th February,2007 "Scheduling for downlink"
【非特許文献２】3GPP,R1-070641,Draft Report of 3GPP TSG RAN WG1 ＃47bis(Sorrento,Italy,15-19 January 2007）
【非特許文献３】3GPP TSG RAN ＃47bis R1-070602 Sorrento,Italy,Juanuary 15-19,2007 "Data-non-associated control signaling"
【非特許文献４】3GPP TSG RAN1 ＃48 R1-070660 Feb 12th-16th,2007 St.Louis,USA"Mapping of UL ACK Transmission based on DL VRB"
【非特許文献５】3GPP TSG RAN1 ＃48 R1-070661 Feb 12th-16th,2007 St.Louis,USA"Cyclic Shift Hopping and Link Performance of UL ACK and CQI Channels"
【非特許文献６】3GPP TSG RAN1 ＃48 R1-070782 St.Louis,USA February 12-16,2007 "Multiplexing of UL L1/L2 control signals in the absence of data"
【発明の開示】
【発明が解決しようとする課題】
【０００９】
下りリンク制御チャネルインデックスのみを用いたインプリシット・マッピングでは、１つの制御チャネルに複数の端末装置のリソース割り当てが含まれるグループスケジューリングには適用することができない。【００１０】
下りリンクデータチャネルの無線リソースインデックスのみを用いたインプリシット・マッピングでは、上りリンクの無線リソースの周波数効率の低下を招いてしまう場合がある。上りリンクの１つの周波数ユニットでＣＤＭを用いて端末装置を多重する際、端末装置間の直交性（符号間の直交性）を維持しつつ多重できる数は制限される（非特許文献５、非特許文献６）。そのため、下りリンクデータチャネルの全ての無線リソースインデックスに対応する上りリンク受信応答信号の無線リソースインデックスを用意するということは、上りリンクの複数の周波数ユニットを予め確保しておくということになる。【００１１】
つまり、下りリンクデータチャネルの無線リソースインデックス数が２５であり、上りリンクの１つの周波数ユニットの符号インデックス数が５であるとする。この場合、受信応答信号の送信のために上りリンクの５つの周波数ユニットが必要となる。【００１２】
例えば、下りリンクデータチャネルの無線リソースインデックス「１」〜「５」が上りリンクのある周波数ユニット（周波数インデックス「１」）の符号インデックス「１」〜「５」に対応し、下りリンクデータチャネルの無線リソースインデックス「６」〜「１０」が上りリンクのある周波数ユニット（周波数インデックス「２」）の符号インデックス「１」〜「５」に対応し、下りリンクデータチャネルの無線リソースインデックス「１１」〜「１５」が上りリンクのある周波数ユニット（周波数インデックス「３」）の符号インデックス「１」〜「５」に対応し、下りリンクデータチャネルの無線リソースインデックス「１６」〜「２０」が上りリンクのある周波数ユニット（周波数インデックス「４」）の符号インデックス「１」〜「５」に対応し、下りリンクデータチャネルの無線リソースインデックス「２１」〜「２５」が上りリンクのある周波数ユニット（周波数インデックス「５」）の符号インデックス「１」〜「５」に対応している場合を想定する。【００１３】
端末装置が５つあり、５つの端末装置に対してスケジューリングによりそれぞれ下りリンクデータチャネルの無線リソースインデックスが割り当てられる場合を想定する。例えば、５つの端末装置のそれぞれには、下りリンクデータチャネルの無線リソースインデックス「１」〜「５」、「６」〜「１０」、「１１」〜「１５」、「１６」〜「２０」、「２１」〜「２５」の何れかがそれぞれ割り当てられる可能性がある。したがって、周波数インデックスとしては、「１」〜「５」の５つの周波数ユニットを確保しておく必要がある。【００１４】
このように、各周波数ユニットにおいて５つの端末装置までＣＤＭにより多重化すれば、１つの周波数ユニットで５つの無線リソースを確保できるにもかかわらず、５つの周波数ユニットを確保する必要がある。したがって、このような送信をすることは、無線リソースの無駄であり、非常に非効率である。【００１５】
受信応答信号の送信に用いる正確な無線リソース割り当て情報を基地局装置が端末装置に送信するエクスプリシット・マッピングは、上りリンクの受信応答信号の無線リソースの割り当てに柔軟性を持ち、上りリンクの周波数効率は高いが、非常に多くの端末装置に正確な無線リソース割り当て情報を送信する必要がある場合、下りリンクの周波数効率を著しく劣化させてしまう。【００１６】
本発明は、このような事情に鑑みてなされたもので、その目的は、基地局装置と通信する端末装置に対して効率的に無線リソースを割り当てることができる端末装置、基地局装置、無線通信システム、プログラム及び無線通信方法を提供することにある。
【課題を解決するための手段】
【００１７】
（１）  本発明は、上記課題を解決するためになされたもので、本発明の一態様による端末装置は、基地局装置と通信する端末装置であって、複数の無線リソースを端末装置に割り当てるか否かを前記基地局装置で決定した決定結果を前記基地局装置から受信する決定結果受信部と、前記決定結果受信部が受信した決定結果に基づいて各端末装置が無線リソースを割り当てられたか否かについて判定する判定部と、前記判定部の判定結果に基づいて前記基地局装置への信号の送信に利用する無線リソースを決定する第１の無線リソース決定部と、前記第１の無線リソース決定部が決定した無線リソースを利用して前記基地局装置に信号を送信する信号送信部とを備える。【００１８】
（２）  また、本発明の一態様による端末装置は、前記第１の無線リソース決定部において決定した無線リソースを用いて、前記前記基地局装置から受信した信号に対する受信応答信号を送信する。【００１９】
（３）  また、本発明の一態様による基地局装置は、端末装置と通信する基地局装置であって、複数の無線リソースに割り当て候補の端末装置を割り当てる候補端末装置割当部と、前記候補端末装置割当部が割り当てた複数の無線リソースの割り当て候補の端末装置に対して無線リソースを割り当てるか否かを決定する決定部と、前記決定部の決定結果を各端末装置に送信する第１の決定結果送信部と、前記決定部の決定結果に基づいて前記端末装置からの信号の受信に利用する無線リソースを決定する第２の無線リソース決定部とを備える。【００２０】
（４）  また、本発明の一態様による基地局装置は、前記第２の無線リソース決定部において決定した無線リソースを用いて、自基地局装置が送信した信号に対する受信応答信号を受信する。【００２１】
（５）  また、本発明の一態様による基地局装置は、前記第２の無線リソース決定部において無線リソースを決定していない端末装置からの受信応答信号の受信に用いる無線リソースを決定する第３の無線リソース決定部と、前記第３の無線リソース決定部の決定結果を前記第１の決定結果送信部から前記決定部の決定結果を送信した端末装置とは異なる端末装置に送信する第２の決定結果送信部とを備える。【００２２】
（６）  また、本発明の一態様による無線通信システムは、基地局装置と端末装置とを備える無線通信システムであって、前記基地局装置は、複数の無線リソースに割り当て候補の端末装置を割り当てる候補端末装置割当部と、前記候補端末装置割当部が割り当てた複数の無線リソースの割り当て候補の端末装置に対して無線リソースを割り当てるか否かを決定する決定部と、前記決定部の決定結果を各端末装置に送信する第１の決定結果送信部と、前記決定部の決定結果に基づいて前記端末装置からの信号の受信に利用する無線リソースを決定する第２の無線リソース決定部とを備え、前記端末装置は、前記第１の決定結果送信部より送信された前記決定部の決定結果を受信する決定結果受信部と、前記決定結果受信部が受信した決定結果に基づいて各端末装置が無線リソースを割り当てられたか否かについて判定する判定部と、前記判定部の判定結果に基づいて前記基地局装置への信号の送信に利用する無線リソースを決定する第１の無線リソース決定部と、前記第１の無線リソース決定部が決定した無線リソースを利用して前記基地局装置に信号を送信する信号送信部とを備える。
本発明によれば、端末装置の第１の無線リソース決定部は、判定部の判定結果に基づいて基地局装置への信号の送信に利用する無線リソースを決定するようにしたので、無線リソースの利用が許可されていない端末装置に対して無線リソースを割り当てないようにすることができ、基地局装置と通信する端末装置に対して効率的に無線リソースを割り当てることができる。【００２３】
（７）  また、本発明の一態様による無線通信システムの前記第１の無線リソース決定部は、前記決定結果受信部が受信した決定結果に基づいて無線リソースを割り当てた端末装置に対して前記複数の無線リソース内の端末装置に割り当てた無線リソースの位置に応じて無線リソースを割り当てることにより前記基地局装置への信号の送信に利用する無線リソースを決定する。
本発明によれば、第１の無線リソース決定部が、決定結果受信部が受信した決定結果に基づいて無線リソースを割り当てた端末装置に対して複数の無線リソース内の端末装置に割り当てた無線リソースの位置に応じて無線リソースを割り当てるようにしたので、基地局装置と端末装置間で無線リソースの割り当てに関する情報、及び情報のやり取りを省略することができ、無線通信システムの周波数利用効率を向上させることができる。【００２４】
（８）  また、本発明の一態様による無線通信システムの前記第１の無線リソース決定部は、前記決定結果受信部が受信した決定結果に基づいて無線リソースを割り当てた端末装置に対して前記複数の無線リソース内の端末装置に割り当てた無線リソースの位置から順に無線リソースを割り当てることにより前記基地局装置への信号の送信に利用する無線リソースを決定する。
本発明によれば、第１の無線リソース決定部が、決定結果受信部が受信した決定結果に基づいて無線リソースを割り当てた端末装置に対して複数の無線リソース内の端末装置に割り当てた無線リソースの位置から順に無線リソースを割り当てるようにしたので、複数端末装置が利用する無線リソースを周波数領域上で連続させることができ、基地局装置と通信する端末装置に対して効率的に無線リソースを割り当てることができる。【００２５】
（９）  また、本発明の一態様による無線通信システムの前記第１の無線リソース決定部は、無線リソースを利用可能な端末装置に対して前記複数の無線リソースの端から順に無線リソースを割り当てる。
また、本発明によれば、第１の無線リソース決定部が、無線リソースを利用可能な端末装置に対して前記複数の無線リソースの端から順に無線リソースを割り当てるようにしたので、複数の端末装置が利用する無線リソースを周波数領域上の端から連続させることができるので、基地局装置と通信する端末装置に対してより効率的に無線リソースを割り当てることができる。【００２６】
（１０）  また、本発明の一態様による無線通信システムの前記第１の無線リソース決定部において決定した無線リソースを用いて送信する信号、及び前記第２の無線リソース決定部において決定した無線リソースを用いて受信する信号は、前記基地局装置が前記端末装置に対して送信した信号に対して前記端末装置が前記基地局装置に対して送信する受信応答信号である。
また、本発明によれば、第１の無線リソース決定部において決定した無線リソースを用いて受信応答信号を送信するようにし、第２の無線リソース決定部において決定した無線リソースを用いて受信応答信号を受信するようにしたので、効率的に受信応答信号を送受信することができる。【００２７】
（１１）  また、本発明の一態様によるプログラムは、基地局装置と通信する端末装置のコンピュータを、複数の無線リソースを端末装置に割り当てるか否かを前記基地局装置で決定した決定結果を前記基地局装置から受信する決定結果受信手段と、前記決定結果受信手段が受信した決定結果に基づいて各端末装置が無線リソースを割り当てられたか否かについて判定する判定手段と、前記判定手段の判定結果に基づいて前記基地局装置への信号の送信に利用する無線リソースを決定する第１の無線リソース決定手段と、前記第１の無線リソース決定手段が決定した無線リソースを利用して前記基地局装置に受信応答信号を送信する信号送信手段として機能させる。【００２８】
（１２）  また、本発明の一態様によるプログラムは、端末装置と通信する基地局装置のコンピュータを、複数の無線リソースに割り当て候補の端末装置を割り当てる候補端末装置割当手段と、前記候補端末装置割当手段が割り当てた複数の無線リソースの割り当て候補の端末装置に対して無線リソースを割り当てる下否かを決定する決定手段と、前記決定手段の決定結果を各端末装置に送信する第１の決定結果送信手段と、前記決定手段の決定結果に基づいて前記端末装置からの受信応答信号の受信に利用する無線リソースを決定する第２の無線リソース決定手段として機能させる。【００２９】
（１３）  また、本発明の一態様による無線通信方法は、基地局装置と端末装置とを用いた無線通信方法であって、前記基地局装置は、複数の無線リソースに割り当て候補の端末装置を割り当てる候補端末装置割当過程と、前記候補端末装置割当過程で割り当てた複数の無線リソースの割り当て候補の端末装置に対して無線リソースを割り当てるか否かを決定する決定過程と、前記決定過程の決定結果を各端末装置に送信する第１の決定結果送信過程と、前記決定過程の決定結果に基づいて前記端末装置からの受信応答信号の受信に利用する無線リソースを決定する第２の無線リソース決定過程とを実行し、前記端末装置は、前記第１の決定結果送信過程より送信された前記決定過程の決定結果を受信する決定結果受信過程と、前記決定結果受信過程で受信した決定結果に基づいて各端末装置が無線リソースを割り当てられたか否かについて判定する判定過程と、前記判定過程の判定結果に基づいて前記基地局装置への受信応答信号の送信に利用する無線リソースを決定する第１の無線リソース決定過程と、前記第１の無線リソース決定過程で決定した無線リソースを利用して前記基地局装置に信号を送信する信号送信過程とを実行する。
【発明の効果】
【００３０】
本発明の端末装置、基地局装置、無線通信システム、プログラム及び無線通信方法によれば、基地局装置と通信する端末装置に対して効率的に無線リソースを割り当てることができる。
【図面の簡単な説明】
【００３１】
【図１】本発明の実施形態における下りリンク無線フレームの構成を示す図である。
【図２】ダイナミックスケジューリング用の制御チャネルに構成されるリソース割り当て情報の構成を示す図である。
【図３】グループスケジューリング用の制御チャネルを構成するリソース割り当て情報を示している。
【図４】グループスケジューリング用の制御チャネルにおいてシステム帯域幅が８個のＰＲＢから構成される場合の図である。
【図５】リソース割り当てスタート位置情報とＰＲＢよる割り当ての開始位置との関係を示す図である。
【図６】グループスケジューリング用の制御チャネルとＰＢＲの割り当ての説明に用いる図である。
【図７】グループスケジューリング用の制御チャネルとＰＢＲの割り当ての説明に用いる図である。
【図８】制御チャネルの物理マッピングの説明に用いる図である。
【図９】制御チャネルの物理マッピングの説明に用いる図である。
【図１０】制御チャネルをシステム帯域幅全体に亘って均等に分散してマッピングした場合の図である。
【図１１】１ＯＦＤＭシンボル目と２ＯＦＤＭシンボル目で各制御チャネルのサブキャリアを同じ位置にマッピングした場合の図である。
【図１２】１ＯＦＤＭシンボル目と２ＯＦＤＭシンボル目で各制御チャネルのサブキャリアを異なる位置にマッピングした場合の図である。
【図１３】上りリンクの受信応答信号の無線リソースインデックスの一例を示す図である。
【図１４】上りリンクの受信応答信号の各無線リソースインデックスの物理配置を主に示す上りリンク無線フレームの構成図である。
【図１５】本発明の実施形態における基地局装置の概略構成を示すブロック図である。
【図１６】本発明の実施形態における基地局装置における送信処理部の構成を示すブロック図である。
【図１７】本発明の実施形態における基地局装置における受信処理部の構成を示すブロック図である。
【図１８】本発明の実施形態における端末装置の概略構成を示すブロック図である。
【図１９】本発明の実施形態における端末装置における受信処理部の構成を示すブロック図である。
【図２０】本発明の実施形態における端末装置における送信処理部の構成を示すブロック図である。
【図２１】ダイナミックスケジューリングＵＥの場合の処理手順を示すシーケンス図である。
【図２２】グループスケジューリングＵＥの場合の処理手順を示すシーケンス図である。
【符号の説明】
【００３２】
１・・・基地局装置、
２・・・端末装置、
１０１・・・無線リソース制御部、
１０２・・・制御部、
１０３・・・送信処理部、
１０４・・・受信処理部、
２０１−１〜２０１−ｎ・・・データチャネル処理部、
２０２・・・制御チャネル処理部、
２０３・・・多重部、
２０４・・・ＩＦＦＴ部、
２０５・・・ＧＩ挿入部、
２０６・・・Ｄ／Ａ部、
２０７・・・送信ＲＦ部、
２１１・・・ターボ符号部、
２１２・・・データ変調部、
２１３・・・インターリーバ部、
２１４・・・Ｓ／Ｐ部、
２２１・・・畳み込み符号部、
２２２・・・ＱＰＳＫ変調部、
２２３・・・インターリーバ部、
２２４・・・Ｓ／Ｐ部、
３０１・・・受信ＲＦ部、
３０２・・・Ａ／Ｄ部、
３０３・・・シンボルタイミング検出部、
３０４・・・ＧＩ除去部、
３０５・・・Ｓ／Ｐ部、
３０６・・・ＦＦＴ部、
３０７・・・デマッピング部、
３０８・・・逆拡散部、
３０９・・・検出部、
３１０・・・チャネル推定部、
３１１・・・チャネル補償部、
３１２・・・ＩＦＦ部、
３１３・・・Ｐ／Ｓ部、
３１４・・・デインターリーバ部、
３１５・・・データ復調部、
３１６・・・ターボ復号部、
４０１・・・制御部、
４０２・・・送信処理部、
４０３・・・受信処理部、
５０１・・・受信ＲＦ部、
５０２・・・Ａ／Ｄ部、
５０３・・・シンボルタイミング検出部、
５０４・・・ＧＩ除去部、
５０５・・・ＦＦＴ部、
５０６・・・多重分離部、
５０７・・・チャネル推定部、
５０８・・・チャネル補償部、
５０９・・・Ｐ／Ｓ部、
５１０・・・デインターリーバ部、
５１１・・・データ復調部、
５１２・・・ターボ復号部、
５１３・・・チャネル補償部、
５１４・・・デインターリーバ部、
５１５・・・ＱＰＳＫ復調部、
５１６・・・ビタビデコーダ部、
６０１・・・ターボ符号部、
６０２・・・データ変調部、
６０３・・・インターリーバ部、
６０４・・・Ｓ／Ｐ部、
６０５・・・ＦＦＴ部、
６０６・・・拡散部、
６０７・・・マッピング部、
６０８・・・ＩＦＦＴ部、
６０９・・・ＧＩ挿入部、
６１０・・・Ｄ／Ａ部、
６１１・・・送信ＲＦ部
【発明を実施するための最良の形態】
【００３３】
以下、図面を参照して、本発明の第１の実施形態について説明する。
＜下りリンク無線フレームの構成＞
図１は、ＥＵＴＲＡにおける３ＧＰＰの提案を基にした下りリンク無線フレームの概略構成であり、本実施形態における下りリンク無線フレームの構成を示す図である。【００３４】
図１において、下りリンク無線フレームは、無線リソース割り当てなどの単位であるＰＲＢ（物理リソースブロック）から構成されている。各ＰＲＢは周波数領域において１または複数のサブキャリアから構成され、時間領域において１または複数のＯＦＤＭシンボルから構成される。【００３５】
図１において、システム帯域幅は、基地局装置の通信帯域幅である。時間領域においては、複数のＯＦＤＭシンボルから構成されるスロット、複数のスロットから構成されるサブフレーム、複数のサブフレームから構成される一つの無線フレームというフレーム構成に基づいて以下の説明を行う。図１では、１スロットは７ＯＦＤＭシンボルから構成され、１サブフレームは２スロットから構成された場合を示している。【００３６】
各サブフレームには少なくとも、データの送信に用いるデータチャネル、下りリンク制御データの送信に用いる制御チャネルがマッピングされている。説明の便宜上、データチャネル及び制御チャネルのチャネル推定に用いる参照信号の図示は省略する。【００３７】
図１では、制御チャネルは１フレームの頭から１番目と２番目のＯＦＤＭシンボルにマッピングされ、データチャネルはその他のＯＦＤＭシンボルにマッピングされた場合を示しているが、本発明はこれに限定されるものではない。例えば、制御チャネルは１番目と２番目と３番目のＯＦＤＭシンボルにマッピングされても良い。【００３８】
制御チャネルは、少なくともダイナミックスケジューリング用の制御チャネルとグループスケジューリング用の制御チャネルにより構成され、基地局装置のスケジューリング機能を有する制御部に基づいて適応的に用いられる。ダイナミックスケジューリング用の制御チャネルは、端末装置識別子（移動局識別子とも言う）、データチャネルのリソース割り当て情報、マルチアンテナ関連情報、変調方式（変調方式、符号化率）、ペイロードサイズ、再送パラメータにより構成される。グループスケジューリング用の制御チャネルは、端末装置群識別子、データチャネルのリソース割り当て情報により構成される。【００３９】
なお、本発明はこのような制御チャネルの構成に限定されるものではない。その他の制御データにより構成されてもよく、本発明は各制御チャネルのリソース割り当て情報の構成に焦点をあてている。【００４０】
＜ダイナミックスケジューリング用の制御チャネル＞
図２は、ダイナミックスケジューリング用の制御チャネルに構成されるリソース割り当て情報の構成を示している。図２に示すように、ダイナミックスケジューリング用のリソース割り当て情報は、リソース割り当てを行うＰＲＢ（Physical Resource Block）の数に相当するビットから構成される。図２では、Ｎ個のＰＲＢ（ＰＲＢ１〜ＰＲＢＮ）に対するリソース割り当て情報を示している。各ＰＲＢに対するビットが「０」の場合はそのＰＲＢが割り当てられないことを示し、ビットが「１」の場合はそのＰＲＢが割り当てられることを示す。【００４１】
端末装置は、自端末装置識別子が示された制御チャネルのリソース割り当て情報を復号し、どのビットが「１」であるかを確認し、自身に割り当てられた無線リソースを検出する。
なお、１つの制御チャネルにシステム帯域幅の全てのＰＲＢに対するリソース割り当て情報を示すのではなく、システム帯域幅のＰＲＢを複数個のグループに分割し、グループ毎のリソース割り当て情報を制御チャネルに構成する制御チャネル構造とすることもできる。【００４２】
＜グループスケジューリング用の制御チャネル＞
図３は、グループスケジューリング用の制御チャネルを構成するリソース割り当て情報を示している。図３（ａ）〜図３（ｃ）に示すように、グループスケジューリング用のリソース割り当て情報は、リソース割り当てを行う端末装置（ＵＥ１〜ＵＥＮ）の数に相当するビットと、システム帯域幅においてリソース割り当ての開始位置を示すリソース割り当てスタート位置情報から構成される。リソース割り当ての端末装置分のビットに対して端末装置が該当するビット位置は予め決められている。【００４３】
図３（ａ）では、端末装置が割り当てられるＰＲＢ数は１個に限定された場合を示しており、Ｎ個のＰＲＢからなるシステム帯域幅において最大でＮ個の端末装置に同時にリソース割り当てを行うことができる。すなわち、特定の１個のＰＲＢが、特定の端末装置に割り当てられている。
また、図３（ｂ）に示すように、同時にリソース割り当てを行う端末装置数を減らし、端末装置が割り当てられるＰＲＢ数にある程度自由度を持たせる構成とすることもできる。図３（ｂ）では、図３（ａ）と比較して同時にリソース割り当てを行う端末装置数を半減し、各端末装置に最大で２倍のＰＲＢ数まで割り当てを行うことができる場合を示している。【００４４】
図３（ｂ）において、各端末装置に該当する複数のビットはＴＦ（Transport Format）を示し、１ＰＲＢのみのリソースを割り当てるか、２ＰＲＢのリソースを割り当てるか、リソースの割り当てを行わないなどの情報を示す。
例えば、図３（ｃ）では、ＵＥ１のビットと、ＵＥ３のビットと、ＵＥ５のビットが「１」になっている。図３（ｃ）に示すようなリソース割り当て情報の場合、ＵＥ１とＵＥ３とＵＥ５がリソースを割り当てられたことを示す。
このようなグループスケジューリング用の制御チャネルに構成されるリソース割り当て情報について、更に詳細な説明を行う。【００４５】
ここでは、説明の便宜上、図４（ａ）に示すように、システム帯域幅が８個のＰＲＢから構成される場合について説明する。ここでは、端末装置が割り当てられるＰＲＢ数は１個に限定され、図４（ｂ）に示すように各端末装置に対してリソース割り当てを行うか行わないかを示すために８ビット、リソース割り当てスタート位置情報を示すために３ビットの併せて１１ビットからリソース割り当て情報は構成されている。リソース割り当てスタート位置情報に関して３ビットで８個の情報を示すことができ、リソース割り当てを開始する位置として８個のＰＲＢのどのＰＲＢより割り当てを開始するかを示す。【００４６】
図５は、図４（ｂ）における３ビットのリソース割り当てスタート位置情報と、どのＰＲＢよる割り当てを開始するかの関係を示すものである。図５に示すように、リソース割り当てスタート位置情報が「０００」なら、１ＰＲＢよりリソースを割り当て、リソース割り当てスタート位置情報が「００１」なら、２ＰＲＢよりリソースを割り当て、以下同様に、３ビットのリソース割り当てスタート位置情報に応じて、ＰＲＢの割り当て開始位置を定める。【００４７】
ここで、図６（ａ）に示すリソース割り当て情報の場合には、ＵＥ１、ＵＥ３、ＵＥ５、ＵＥ７のビットが「１」を示し、リソース割り当てスタート位置情報が「０００」を示していたとする。図５に示すように、リソース割り当てスタート位置情報「０００」は１ＰＲＢよりリソース割り当てを開始することを示している。したがって、この場合、図６（ｂ）に示すようなリソース割り当てとなり、ＵＥ１はＰＲＢ１、ＵＥ３はＰＲＢ２、ＵＥ５はＰＲＢ３、ＵＥ７はＰＲＢ４の各リソースブロックに割り当てられる。【００４８】
また、図７（ａ）に示すように、リソース割り当てスタート位置情報が「１００」を示していた場合、図７（ｂ）に示すようなリソース割り当てとなる。リソース割り当てスタート位置情報「１００」は５ＰＲＢよりリソース割り当てを開始することを示し、ＵＥ１はＰＲＢ５、ＵＥ３はＰＲＢ６、ＵＥ５はＰＲＢ７、ＵＥ７はＰＲＢ８の各リソースブロックを割り当てられる。【００４９】
端末装置は、自端末装置群識別子が示された制御チャネルのリソース割り当て情報を復号し、自端末装置に該当するビットが「１」であるか、又はＴＦを確認し、自端末装置にリソース割り当てが行われることを検出すると、その他の端末装置のリソース割り当て情報を確認すると共にリソース割り当てスタート位置情報を確認し、自身にリソースを割り当てられたＰＲＢを検出する。【００５０】
なお、１つの制御チャネルにシステム帯域幅のＰＲＢ数と同数の端末装置分のリソース割り当て情報を示すのではなく、システム帯域幅のＰＲＢを複数個のグループに分割し、そのグループのＰＲＢ数と同数の端末装置分のリソース割り当て情報を制御チャネルに構成する制御チャネル構造とすることもできる。
上記で説明した複数のＰＲＢについて番号付けが行われ、その番号が下りリンクデータチャネルの無線リソースインデックスである。【００５１】
＜制御チャネルの物理マッピング＞
次に、制御チャネルの物理マッピングについて詳細に説明する。制御チャネルがマッピングされるＯＦＤＭシンボルにおいて複数の制御チャネル要素が構成される。制御チャネルは少なくとも１つの制御チャネル要素から構成され、複数の制御チャネルが１サブフレームにマッピングされる。制御チャネル要素は、複数のサブキャリアより構成される。以降は、各制御チャネルが１つの制御チャネル要素から構成された場合について説明する。【００５２】
図１に示したように、１ＯＦＤＭシンボル目と２ＯＦＤＭシンボル目に複数の制御チャネルがマッピングされる。各制御チャネルは複数のサブキャリアから構成され、周波数ダイバーシチ効果を得るために各サブキャリアはシステム帯域幅全体に亘って分散してマッピングされる。【００５３】
図８に示すように、５つの制御チャネル「１」〜「５」がマッピングされる場合について説明する。この場合、図９に示すように、各制御チャネル「１」〜「５」は複数のサブキャリアから構成される。図１０に示すように、各制御チャネル「１」〜「５」の各サブキャリアは、システム帯域幅全体に亘って均等に分散してマッピングされる。すなわち、システム帯域幅は、制御チャネル１、制御チャネル２、制御チャネル３、制御チャネル４、制御チャネル５という順序の繰り返しによって占有される。
なお、図１１に示すように、一つのフレームの１ＯＦＤＭシンボル目と２ＯＦＤＭシンボル目で各制御チャネルのサブキャリアを同じ位置にマッピングしても良い。すなわち、１ＯＦＤＭシンボル目では、システム帯域幅を、制御チャネル１、制御チャネル２、制御チャネル３、制御チャネル４、制御チャネル５という順序の繰り返しによって占有するようにし、２ＯＦＤＭシンボル目では、システム帯域幅は、制御チャネル１、制御チャネル２、制御チャネル３、制御チャネル４、制御チャネル５という順序の繰り返しによって占有するようにしても良い。【００５４】
また、図１２に示すように、更に周波数ダイバーシチ効果を得るために１ＯＦＤＭシンボル目と２ＯＦＤＭシンボル目で各制御チャネルのサブキャリアを異なる位置にマッピングしても良い。すなわち、１ＯＦＤＭシンボル目では、システム帯域幅を、制御チャネル１、制御チャネル２、制御チャネル３、制御チャネル４、制御チャネル５という順序の繰り返しによって占有するようにし、２ＯＦＤＭシンボル目では、システム帯域幅は、制御チャネル４、制御チャネル５、制御チャネル１、制御チャネル２、制御チャネル３という順序の繰り返しによって占有するようにしても良い。【００５５】
なお、サブキャリアがどのように異なる位置にマッピングされるかは予め決められている。ここでは、サブキャリア単位でシステム帯域幅全体に亘って分散してマッピングする方法について示したが、複数サブキャリア単位でシステム帯域幅全体に亘って分散してマッピングする方法でも良い。例えば、図１０においては、システム帯域幅は、１サブキャリア単位で制御チャネル１、制御チャネル２、制御チャネル３、制御チャネル４、制御チャネル５という順序の繰り返しによって占有する方法について示しているが、２サブキャリア単位で制御チャネル１、制御チャネル２、制御チャネル３、制御チャネル４、制御チャネル５という順序の繰り返しによって占有する方法でも良い。
なお、制御チャネルのサブキャリアは、システム帯域幅におけるマッピング法則が端末装置に対して既知であるなら、システム帯域幅全体に亘って不均等に分散してマッピングされる方法を用いることもできる。例えば、基地局装置毎に異なるマッピング法則を用いて、制御チャネルにおけるセル間干渉をランダマイズ化することができる。
上記で説明した複数の制御チャネルについて番号付けが行われ、その番号が制御チャネルインデックスである。【００５６】
＜無線リソースインデックス＞
次に、上りリンクの受信応答信号の無線リソースインデックスについて説明する。【００５７】
図１３は、上りリンクの受信応答信号の無線リソースインデックス例を示している。ここでは、上りリンクの受信応答信号の送信用に６つの周波数ユニット「１」〜「６」が予約され、各周波数ユニット「１」〜「６」において、符号シーケンス「１」〜「５」により、５つの符号多重が可能な場合について説明する。
なお、数値は説明の便宜上のためであり、本発明はこれに限定されるものではない。また、周波数ユニットは、複数のサブキャリアにより構成される。【００５８】
図１３に示すように、周波数ユニット「１」の符号シーケンス「１」〜「５」の組み合わせに対してインデックスｉｎｄｅｘ１〜５を対応付け、周波数ユニット「２」の符号シーケンス「１」〜「５」の組み合わせに対してインデックスｉｎｄｅｘ６〜１０を対応付け、周波数ユニット「３」の符号シーケンス「１」〜「５」の組み合わせに対してインデックスｉｎｄｅｘ１１〜１５を対応付け、周波数ユニット「４」の符号シーケンス「１」〜「５」の組み合わせに対してインデックスｉｎｄｅｘ１６〜２０を対応付け、周波数ユニット「５」の符号シーケンス「１」〜「５」の組み合わせに対してインデックスｉｎｄｅｘ２１〜２５を対応付け、周波数ユニット「６」の符号シーケンス「１」〜「５」の組み合わせに対してインデックスｉｎｄｅｘ２６〜３０を対応付ける。【００５９】
端末装置は、下りリンクで示された、又は検出したインデックスに対応した無線リソースを用いて上りリンクの受信応答信号の送信を行う。
なお、これは少なくとも上りリンクデータチャネルの送信を伴わない場合の、上りリンクの受信応答信号の送信についてである。上りリンクデータチャネルの送信を伴わない場合の受信応答信号は、上りリンクの制御チャネルを用いて送信する。
また、ここでは上りリンク受信応答信号の無線リソースインデックスの数は３０（ｉｎｄｅｘ１〜３０）の場合について説明したが、無線リソースインデックスの数は少なくとも下りリンクのシステム帯域幅内のＰＲＢ数分用意されることが望ましい。【００６０】
下りリンクにおいてリソース割り当ての最小単位が１ＰＲＢである場合、基本的に一度に下りリンクのデータチャネルに対してリソース割り当て可能な端末装置数はシステム帯域幅内のＰＲＢ数に等しく、一度に上りリンク受信応答信号を送信する端末装置の最大数はＰＲＢ数であるためである。しかしながら、ＭＵ−ＭＩＭＯ（MultiUser-Multi InputMulti Output）を用いて下りリンクの１ＰＲＢに複数の端末装置のデータチャネルを提供する無線通信システムにおいては、上りリンク受信応答信号の無線リソースインデックスの数は下りリンクのシステム帯域幅内のＰＲＢ数分以上用意することが望ましい。【００６１】
＜無線リソースインデックスの物理配置＞
次に、上りリンクの受信応答信号の各無線リソースインデックスの物理配置について説明する。【００６２】
図１４は、上りリンクの受信応答信号の各無線リソースインデックスの物理配置を主に示す、上りリンク無線フレームの概略構成図を示すものである。なお、図１３で用いた無線リソースインデックス例を用いる。図１４において、システム帯域幅は複数の周波数ユニットにより構成される。ここでは、システム帯域幅にＭ個の周波数ユニットが構成された場合を示している。
上りリンク無線フレームは、複数のサブフレームから構成され、１つのサブフレームは２つのスロットから構成される。【００６３】
端末装置の送信時間単位はサブフレームであり、サブフレーム毎のデータチャネルのリソース割り当て情報が基地局装置から端末装置に下りリンク制御チャネルを用いて送信される。
受信応答信号の送信帯域、つまり受信応答信号の送信に用いる周波数ユニットはシステム帯域幅の端より予約され、用いられる。これは、狭帯域幅の受信応答信号の送信をシステム帯域幅の端よりで行い、広帯域幅のデータチャネルの送信をシステム帯域幅の中央よりで行うことにより、他無線通信システムへの帯域外放射を抑えるためである。ここでは、周波数ユニット「１」と周波数ユニット「Ｍ」がシステム帯域の端になる。【００６４】
上りリンクの受信応答信号の無線リソースインデックスは、サブフレーム毎に対応付けられる。図１３の説明では、上りリンクの受信応答信号の送信用に６つの周波数ユニット「１」〜「６」を予約したが、ここでは、図１４に示すように、システム帯域の両端の周波数ユニット「１」〜「３」、「（Ｍ−２）」〜「Ｍ」の６つの周波数ユニットを用い、上りリンクの受信応答信号の無線リソースは、スロット間でシステム帯域内において上下対象の周波数ユニットを用いるようにしている。これにより周波数ダイバーシチ効果が得られる。【００６５】
つまり、図１４に示すように、インデックスｉｎｄｅｘ１〜５は、サブフレーム内の第１スロットの周波数ユニット「１」の符号シーケンス「１」〜「５」と、第２スロットの周波数ユニット「Ｍ」の符号シーケンス「１」〜「５」とをそれぞれ用いる。第１スロットではシステム帯域の一端の周波数ユニット「１」が用いられるのに対して、第２スロットではシステム帯域の他端の周波数ユニット「Ｍ」が用いられ、第１スロットと第２スロットとの間でシステム帯域内において上下対象の周波数ユニットが使われることになる。【００６６】
以下、インデックスｉｎｄｅｘ６〜１０は、サブフレーム内の第１スロットの周波数ユニット「Ｍ」の符号シーケンス「１」〜「５」、第２スロットの周波数ユニット「１」の符号シーケンス「１」〜「５」をそれぞれ用いる。インデックスｉｎｄｅｘ１１〜１５は、サブフレーム内の第１スロットの周波数ユニット「２」の符号シーケンス「１」〜「５」、第２スロットの周波数ユニット「（Ｍ−１）」の符号シーケンス「１」〜「５」をそれぞれ用いる。インデックスｉｎｄｅｘ１６〜２０は、サブフレーム内の第１スロットの周波数ユニット「（Ｍ−１）」の符号シーケンス「１」〜「５」、第２スロットの周波数ユニット「２」の符号シーケンス「１」〜「５」をそれぞれ用いる。インデックスｉｎｄｅｘ２１〜２５は、サブフレーム内の第１スロットの周波数ユニット「３」の符号シーケンス「１」〜「５」、第２スロットの周波数ユニット「（Ｍ−２）」の符号シーケンス「１」〜「５」をそれぞれ用いる。インデックスｉｎｄｅｘ２６〜３０は、サブフレーム内の第１スロットの周波数ユニット「（Ｍ−２）」の符号シーケンス「１」〜「５」、第２スロットの周波数ユニット「３」の符号シーケンス「１」〜「５」をそれぞれ用いる。【００６７】
＜受信応答信号のマッピング＞
次に、本発明の上りリンク受信応答信号のマッピング方法について説明する。【００６８】
本発明の実施形態の無線通信システムでは、ダイナミックスケジューリングとグループスケジューリングとが用いられる。ダイナミックスケジューリングが行われる端末装置（以下、ダイナミックスケジューリングＵＥと称す）には、下りリンクデータチャネルの中に受信応答信号の送信に用いる正確な無線リソース割り当て情報を示すエクスプリシット・マッピング（explicit mapping）を適用し、グループスケジューリングが行われる端末装置（以下、グループスケジューリングＵＥと称す）には、リソースを割り当てられた端末装置群における自端末装置の割り当て位置と上りリンク受信応答信号の無線リソースインデックスが対応付けられるインプリシット・マッピング（implicit mapping）を適用する。【００６９】
ダイナミックスケジューリングＵＥのエクスプリシット・マッピングは、上りリンク受信応答信号の無線リソースインデックスの中からどのインデックスを使うかを示す。例えば、３０個のインデックスを示すためには５ビットの無線リソース割り当て情報を用いることにより示すことができる。基地局装置は、この無線リソース割り当て情報をデータチャネル内に含め、端末装置に上りリンク受信応答信号の無線リソースインデックスを通知する。【００７０】
グループスケジューリングＵＥのインプリシット・マッピングは、下りリンクデータチャネルのグループスケジューリング用の制御チャネルに構成されるリソース割り当て情報から示される。グループスケジューリングでは、リソース割り当て情報によりリソースが割り当てられた複数グループスケジューリングＵＥの情報フィールドの位置により、受信応答信号の送信に用いる無線リソースを決定する。これについて、以下、具体的に説明する。【００７１】
前述の図６（ａ）に示したように、リソース割り当て情報の、ＵＥ１、ＵＥ３、ＵＥ５、ＵＥ７のビットが「１」を示し、リソース割り当てスタート位置情報が「０００」を示していたとする。この場合、４つの端末装置ＵＥ１、ＵＥ３、ＵＥ５、ＵＥ７に下りリンクデータチャネルのリソースが割り当てられている。【００７２】
リソースを割り当てられた端末装置は、リソースを割り当てられた全ての端末装置群の中で自端末装置が何番目に相当するのかを認識する。例えば、図６（ｂ）において最上位ビットに近い端末装置から番号付けを行う。ここでは、ＵＥ１が１番、ＵＥ３が２番、ＵＥ５が３番、ＵＥ７が４番となる。同様に、基地局装置も各端末装置が何番かを認識する。【００７３】
この番号は、上りリンクの受信応答信号の無線リソースインデックスに対応する。すなわち、図６（ａ）に示したようなリソース割り当て情報の場合、端末装置ＵＥ１に対して、インデックスｉｎｄｅｘ１が対応付けられ、端末装置ＵＥ３に対して、インデックスｉｎｄｅｘ２が対応付けられ、端末装置ＵＥ５に対して、インデックスｉｎｄｅｘ３が対応付けられ、端末装置ＵＥ７に対して、インデックスｉｎｄｅｘ４が対応付けられる。【００７４】
ここで、グループスケジューリング用の制御チャネルに用いた制御チャネル要素（複数サブキャリア）とは異なる制御チャネル要素でダイナミックスケジューリング用の制御チャネルを用いてダイナミックスケジューリングＵＥを割り当てる場合、ダイナミックスケジューリングＵＥに対しては、第１スロットでは、周波数ユニット１の符号シーケンス５を示す無線リソース割り当て情報をデータチャネルに含めて伝える。【００７５】
図１４で説明したように、インデックスｉｎｄｅｘ１〜５は、サブフレーム内の第１スロットの周波数ユニット「１」の符号シーケンス「１」〜「５」を用いる。よって、第１スロットでは、ＵＥ１は周波数ユニット「１」の符号シーケンス「１」を用い、ＵＥ３は周波数ユニット「１」の符号シーケンス「２」を用い、ＵＥ５は周波数ユニット「１」の符号シーケンス「３」を用い、ＵＥ７は周波数ユニット「１」の符号シーケンス「４」を用いて、受信応答信号を送信する。第２スロットでは、第１スロットの無線リソースのシステム帯域幅において上下対象の無線リソースを用いる。【００７６】
基地局装置は、受信応答信号の送信に予約された周波数ユニットが受信応答信号の送信に実際に使用されない場合、そのサブフレームにおける予約を解放し、端末装置に上りリンクデータチャネルのリソース割り当て情報を示して、そのリソース割り当て情報を示された端末装置はリソース割り当て情報によって示される周波数ユニットを用いて上りリンクのデータチャネルを送信する。
また、ダイナミックスケジューリングＵＥに割り当てる受信応答信号の送信に用いる無線リソースは、グループスケジューリングＵＥが用いる無線リソースと同一の周波数ユニットから優先的に用いる。【００７７】
例えば、グループスケジューリングにより１８個の端末装置（グループスケジューリングＵＥ）にリソースが割り当てられ、ダイナミックスケジューリングにより２つの端末装置（ダイナミックスケジューリングＵＥ）にリソースが割り当てられる場合を想定する。
この場合、グループスケジューリングＵＥ群は、受信応答信号の無線リソースインデックスｉｎｄｅｘ１〜１８が対応付けられる。無線リソースインデックスがｉｎｄｅｘ１〜１８の１８個ある場合、図１４に示したように、第１スロットでは、周波数ユニット「１」の符号シーケンス「１」〜「５」、周波数ユニット「Ｍ」の符号シーケンス「１」〜「５」、周波数ユニット「２」の符号シーケンス「１」〜「５」、周波数ユニット「（Ｍ−１）」の符号シーケンス「１」〜「３」が用いられる。第２スロットでは、周波数ユニット「Ｍ」の符号シーケンス「１」〜「５」、周波数ユニット「１」の符号シーケンス「１」〜「５」、周波数ユニット「（Ｍ−１）」の符号シーケンス「１」〜「５」、周波数ユニット「２」の符号シーケンス「１」〜「３」が用いられる。【００７８】
ダイナミックスケジューリングＵＥ群はそれぞれ受信応答信号の無線リソースインデックスｉｎｄｅｘ１９、２０が通知され、第１スロットでは、周波数ユニット「（Ｍ−１）」の符号シーケンス「４」、「５」を用いて受信応答信号が送信され、第２スロットでは、周波数ユニット「２」の符号シーケンス「４」、「５」を用いて受信応答信号が送信される。
このように、周波数ユニット「３」、周波数ユニット「（Ｍ−２」）は受信応答信号のリソースとして使用されないので、基地局装置は、受信応答信号の送信に予約しておいた周波数ユニット「３」、周波数ユニット「（Ｍ−２」）の予約を解放し、端末装置に上りリンクのデータチャネルを割り当てることができる。【００７９】
以上の処理により、予約された周波数ユニットにおいて、上りリンク受信応答信号の送信に用いる周波数ユニットでは符号シーケンスを十分にできる限り使用し、上りリンク受信応答信号の送信に用いない周波数ユニットはデータチャネルに割り当てることができ、上りリンク無線リソースを有効に使用し、上りリンクの周波数効率を改善することができる。
また、グループスケジューリングにおいてリソースを割り当てられた端末装置群における自端末装置の位置に応じて受信応答信号のリソースを用いることにより、グループスケジューリングで同時にリソースを割り当てる端末装置数に制限を加えた無線通信システムの場合、上りリンク受信応答信号のために予約する周波数ユニットを少なくすることができる。例えば、グループスケジューリングＵＥ用の一つの下りリンク制御チャネルにおいてリソース割り当て情報として２０個の端末装置にそれぞれ対応した２０ビットのリソース割り当て情報が構成された場合について説明する。なお、ここでは予約した受信応答信号の無線リソースはデータチャネルに割り当てることができない場合を想定する。同時にリソースを割り当てる端末装置数に制限がない場合、２０個の受信応答信号のリソースを予約する必要がある。実際にリソースを割り当てる端末装置数の上限を１０個にした場合、予約した２０個の受信応答信号の無線リソースの内、１０個しか使われないが、リソース割り当て情報の自端末装置の位置に対応した受信応答信号のリソース割り当てでは、リソース割り当て結果によっては、受信応答信号の無線リソースが複数周波数ユニット内で分散する。例えば、１個の周波数ユニットに５個の符号シーケンスが構成され、４個の周波数ユニットが予約されている場合、１番目の周波数ユニットで３個の符号シーケンス、２番目の周波数ユニットで３個の符号シーケンス、３番目の周波数ユニットで３個の符号シーケンス、４番目の周波数ユニットで１個の符号シーケンスが選択される。そこで、グループスケジューリングにおいてリソースを割り当てられた端末装置群における自端末装置の位置に応じて受信応答信号のリソースを用いるようにすることにより、受信応答信号の無線リソースに用いる周波数ユニットを集約することができる。リソースを割り当てられた１０個の端末装置における自端末装置の位置により受信応答信号の無線リソースを決定することができるので、１番目の周波数ユニットで５個の符号シーケンス、２番目の周波数ユニットで５個の符号シーケンス、３番目の周波数ユニットで０個の符号シーケンス、４番目の周波数ユニットで０個の符号シーケンスが選択される。つまり、３番目の周波数ユニット、４番目の周波数ユニットの使用を省略することができるので、その周波数ユニットを予約する必要がない。このリソースをデータチャネルに用いることにより、周波数効率を向上させることができる。
また、グループスケジューリングＵＥに対してリソース割り当てスタート位置情報によらず上りリンク受信応答信号の送信をシステム帯域幅の端で行うようにすることができ、帯域外放射を抑えることができる。【００８０】
なお、１つのサブフレームにダイナミックスケジューリングされるダイナミックスケジューリングＵＥは、下りリンク制御チャネルのオーバヘッドのため、数が少ない無線通信システムを想定しているため、上りリンク受信応答信号の無線リソース割り当て情報のオーバヘッドは比較的低く維持される。【００８１】
＜基地局装置の構成＞
図１５は、本発明の実施形態における基地局装置１の概略ブロック図を示す。図１５に示すように、基地局装置１は、無線リソース制御部１０１（候補端末装置割当部とも称する）、制御部１０２（決定部、第２の無線リソース決定部、第３の無線リソース決定部とも称する）、送信処理部１０３（第１の決定結果送信部、第２の決定結果送信部とも称する）、受信処理部１０４を有する。【００８２】
無線リソース制御部１０１は、端末装置の間欠送受信サイクル、変調方式・符号化率、送信電力、無線フレームの制御チャネルのフォーマットなどを管理し、無線リソース制御情報を、送信処理部１０３を通して、端末装置２（図１８参照）に通知する。例えば、無線リソース制御部１０１は、複数の無線リソースにリソース割り当て候補の端末装置１を割り当てる（図２〜図４参照）。【００８３】
制御部１０２は、無線リソース制御部１０１が無線リソース割り当て候補として割り当てた無線リソースを、その無線リソースに割り当てられた無線リソース割り当て候補の端末装置２に対して無線リソースを割り当てるか否かを決定する。また、制御部１０２は、各端末装置２（グループスケジューリングＵＥ、ダイナミックスケジューリングＵＥ）からの受信応答信号に用いる無線リソースを決定する。また、制御部１０２は、無線リソース制御部１０１が管理する情報に基づき、変調方式、符号化率の決定及び制御、データチャネルのマッピングの制御を送信処理部１０３および受信処理部１０４に対して行う。また、制御部１０２は、データチャネルのマッピングの結果などからリソース割り当て情報を含む制御チャネルの情報（Ｌ１／Ｌ２制御データ：Ｌａｙｅｒ１／Ｌａｙｅｒ２制御データ）を生成し、送信処理部１０３に送信を指示する。この制御チャネルの情報は、ダイナミックスケジューリングにおいては少なくとも端末装置識別子、図２に示すようなリソース割り当て情報からなり、グループスケジューリングにおいては少なくとも端末装置群識別子、図３に示すようなリソース割り当て情報からなる。【００８４】
送信処理部１０３は、制御部１０２の決定結果を各端末装置２に送信する。また、送信処理部１０３は、制御部１０２の指示に従い、入力されたデータおよび制御チャネルの情報を送信する送信信号（データチャネル、制御チャネル）を生成して、送信アンテナにより送信する。
受信処理部１０４は、制御部１０２の指示に従い、受信アンテナにより受信した受信信号からデータおよび制御情報、下りリンクデータチャネルに対する受信応答を抽出する。
受信処理部１０４は、受信応答の内容を制御部１０２に出力する。【００８５】
図１６は、本実施形態における基地局装置１の送信処理部１０３の内部構成を示す概略ブロック図である。基地局装置１の送信処理部１０３は、複数のデータチャネル処理部２０１−１〜２０１−ｎと、制御チャネル処理部２０２と、多重部２０３と、ＩＦＦＴ（Inverse Fast Fourier Transform：高速逆フーリエ変換）部２０４と、ＧＩ（Guard Interval：ガードインターバル）挿入部２０５と、Ｄ／Ａ（ディジタルアナログ変換）部２０６と、送信ＲＦ（Radio Frequency）部２０７とを有する。複数のデータチャネル処理部２０１−１〜２０１−ｎは同様の構成及び機能を有するので、その一つを代表して説明する。【００８６】
データチャネル処理部２０１−１〜２０１−ｎは、ターボ符号部２１１と、データ変調部２１２と、インターリーバ部２１３と、Ｓ／Ｐ（直並列変換）部２１４とを有する。
制御チャネル処理部２０２は、畳み込み符号部２２１と、ＱＰＳＫ変調部２２２と、インターリーバ部２２３と、Ｓ／Ｐ部２２４とを有する。
複数のデータチャネル処理部２０１−１〜２０１−ｎは、データをＯＦＤＭ方式で伝送するためのベースバンド処理を行う。【００８７】
ターボ符号部２１１は、制御部１０２からの符号化率の指示に従い、データの誤り耐性を高めるための符号化を行う。データ変調部２１２は、ＱＰＳＫ、１６ＱＡＭ、６４ＱＡＭ等のような変調方式のうち制御部１０２から指示された変調方式で、符号化されたデータを変調する。ＡＭＣＳ（Adaptive Modulation Coding Scheme）を用いるので、この変調方式は適宜変更される。インターリーバ部２１３は、変調されたデータの並ぶ順序を所定のパターンに従って並べ換える。Ｓ／Ｐ部２１４は、インターリーバ部２１３が出力した直列的な信号系列（ストリーム）を並列的な信号系列に変換する。【００８８】
制御チャネル処理部２０２は、リソース割り当て情報、識別子（端末装置識別子、端末装置群識別子）などの情報からなるＬ１／Ｌ２制御データをＯＦＤＭ方式で伝送するためのベースバンド処理を行う。
畳み込み符号部２２１は、Ｌ１／Ｌ２制御データの誤り耐性を高めるための符号化を行う。ＱＰＳＫ変調部２２２は、符号化されたＬ１／Ｌ２制御データをＱＰＳＫ変調方式で変調する。適切ないかなる変調方式が採用されても良いが、Ｌ１／Ｌ２制御データは要求される信頼性が高いため、本実施形態では、耐性の強いＱＰＳＫ変調方式を用いる。インターリーバ部２２３は、変調されたＬ１／Ｌ２制御データの並ぶ順序を所定のパターンに従って並べ替える。Ｓ／Ｐ部２２４は、インターリーバ部２２３が出力した直列的な信号系列を並列的な信号系列に変換する。【００８９】
多重部２０３は、データチャネル処理部２０１−１〜２０１−ｎが出力した変調及び符号化等の処理済のデータと、制御チャネル処理部２０２が出力した処理済みのＬ１／Ｌ２制御データとを、制御部１０２のチャネルマッピングの結果に従い多重化する。データチャネルと制御チャネル間のマッピングは図１に示したように時間多重で行い、制御チャネル間のマッピングは図８に示したような周波数多重で行う。
ＩＦＦＴ部２０４は、多重部２０３から入力された信号を高速逆フーリエ変換し、ＯＦＤＭ方式の変調を行う。【００９０】
ＧＩ挿入部２０５は、変調済みの信号にガードインターバルを付加することで、ＯＦＤＭ方式におけるシンボルを生成する。周知のように、ガードインターバルは、伝送するシンボルの先頭又は末尾の一部を複製することによって得られる。
Ｄ／Ａ部２０６は、ＧＩ挿入部２０５から入力されたベースバンドのディジタル信号をアナログ信号に変換する。送信ＲＦ部２０７は、入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナＡ１に出力する。
なお、説明の便宜上、データチャネル及び制御チャネルのチャネル推定に用いる参照信号の生成部などの図示は省略する。【００９１】
図１７は、本実施形態における基地局装置１の受信処理部１０４の内部構成を示す概略ブロック図である。図１７に示すように、基地局装置１の受信処理部１０４は、受信ＲＦ部３０１と、Ａ／Ｄ（アナログディジタル変換）部３０２と、シンボルタイミング検出部３０３と、ＧＩ除去部３０４と、Ｓ／Ｐ部３０５と、ＦＦＴ（高速フーリエ変換）部３０６と、デマッピング部３０７と、逆拡散部３０８と、検出部３０９と、チャネル推定部３１０と、チャネル補償部３１１と、ＩＦＦＴ部３１２と、Ｐ／Ｓ（並直列変換）部３１３と、デインターリーバ部３１４と、データ復調部３１５と、ターボ復号部３１６とを有する。【００９２】
受信ＲＦ部３０１は、受信アンテナで受信した信号を、適切に増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部３０２は、直交復調されたアナログ信号をディジタル信号に変換する。
シンボルタイミング検出部３０３は、Ａ／Ｄ部３０２からのディジタル信号に基づいて、シンボル（シンボル境界）のタイミングを検出する。【００９３】
ＧＩ除去部３０４は、シンボルタイミング検出部３０３からの制御信号に基づいて、Ａ／Ｄ部３０２からのディジタル信号からガードインターバルに相当する部分を除去する。
Ｓ／Ｐ部３０５は、ＧＩ除去部３０４が出力した直列的な信号系列を並列的な信号系列に変換する。
ＦＦＴ部３０６は、Ｓ／Ｐ部３０５から入力された信号を高速フーリエ変換し、時間領域の信号を周波数領域の信号に変換し、デマッピング部３０７に出力する。このＦＦＴ部３０６のＦＦＴポイント数は、端末装置２のＩＦＦＴ部６０８（図２０参照）のＦＦＴポイント数と対応している。【００９４】
チャネル推定部３１０は、図示しない受信した参照信号に相当する信号と既知の参照信号を用いてチャネルの状況を推定し、チャネル変動を補償するように、振幅及び位相を調整するための制御信号を出力する。この制御信号はサブキャリア毎に出力される。
デマッピング部３０７は、送信側である端末装置２でマッピングしたサブキャリア位置のデータを分離・抽出する。ここで、データチャネルについてはチャネル補償部３１１に出力し、データチャネルを伴わずに端末装置２から送信された制御チャネル（受信応答信号）については逆拡散部３０８に出力する。【００９５】
なお、データチャネルは、制御チャネルに含まれる制御情報を含んで送信される場合もある。端末装置２が送信した制御チャネルの周波数位置に関する情報は、下りリンクで送信した制御チャネルのリソース割り当て情報及び下りリンクのデータチャネルに含めた上りリンク受信応答信号（制御チャネルに相当する。）の無線リソース割り当て情報より制御部１０２から入力されている。【００９６】
チャネル補償部３１１は、デマッピング部３０７により分離されたデータチャネルの振幅及び位相を、チャネル推定部３１０からの制御信号に従ってサブキャリア毎に調整する。
ＩＦＦＴ部３１２は、チャネル補償部３１１からの周波数領域の入力信号を時間領域の信号に変換する。このＩＦＦＴ部３１２のＦＦＴポイント数は、端末装置２のＦＦＴ部５０５（図１９参照）のＦＦＴポイント数と対応している。【００９７】
逆拡散部３０８は、デマッピング部３０７より入力された制御チャネルの信号に対して端末装置２が送信に用いた符号シーケンスを用いて逆拡散処理を行い、検出部３０９に出力する。端末装置２が送信した制御チャネルの符号シーケンスに関する情報は、下りリンクで送信した制御チャネルのリソース割り当て情報及び下りリンクのデータチャネルに含めた上りリンク受信応答信号（制御チャネルに相当する。）の無線リソース割り当て情報より制御部１０２から入力されている。【００９８】
検出部３０９は、逆拡散部３０８からの入力に対して制御データの情報の検出を行い、制御データを出力する。
Ｐ／Ｓ部３１３は、ＩＦＦＴ部３１２からの並列的な信号系列を直列の信号系列に変換する。
デインターリーバ部３１４は、Ｐ／Ｓ部３１３からの信号の並ぶ順序を所定のパターンに従って変更する。所定のパターンは、送信側のインターリーバ部で行われる並べ換えの逆パターンに相当する。【００９９】
データ復調部３１５は、デインターリーブしたデータチャネルの復調を行う。この復調における変調方式は、制御部１０２からの指示に基づき、送信側である端末装置２で用いた変調方式に対応して行われる。また、Ｃｈａｓｅ  ｃｏｍｂｉｎｉｎｇ法のＨＡＲＱ機能として、誤りを検出したデータチャネルと再送信されたデータチャネルの合成がデータ復調部３１５において行われる。【０１００】
ターボ復号部３１６は、データを復号する。この復号における符号化率は、制御部１０２からの指示に基づき、送信側である端末装置２で用いた符号化率に対応して行われる。
また、ＨＡＲＱの機能のＩｎｃｒｅｍｅｎｔａｌ  Ｒｅｄｕｎｄａｎｃｙ法のＨＡＲＱ機能として、誤りを検出したデータチャネルと再送信されたデータチャネルとを併せた復号がターボ復号部３１６において行われる。【０１０１】
＜端末装置の構成＞
図１８は、本発明の実施形態における端末装置２の概略ブロック図を示す。図１８に示すように、端末装置２は、制御部４０１（判定部、第１の無線リソース決定部とも称する）、送信処理部４０２（信号送信部とも称する）、受信処理部４０３（決定結果受信部とも称する）を有する。【０１０２】
受信処理部４０３は、割り当て候補として割り当てられた無線リソースを端末装置２に実際に割り当てるか否かを基地局装置１で決定した決定結果を、基地局装置１から受信する。
制御部４０１は、基地局装置１より制御チャネル、データチャネルを用いて通知された制御情報に基づいて、送信処理部４０２、受信処理部４０３を制御する。また、制御部４０１は、受信処理部４０３が受信した決定結果に基づいて各端末装置２が無線リソースを割り当てられたか否かについて判定し、その判定結果に基づいて基地局装置１への信号（受信応答信号）の送信に利用する無線リソースを決定する。具体的には、制御部４０１は、受信処理部４０３が受信した決定結果に基づいて、受信応答信号の送信に用いる複数の無線リソースの端（所定の位置とも称する）から順に数えて決定結果における自端末装置の位置に対応する無線リソースを割り当てることにより、基地局装置１への信号（受信応答信号）の送信に利用する無線リソースを決定する。
また、送信処理部４０２は、制御部４０１が決定した無線リソースを利用して、基地局装置１に信号（受信応答信号）を送信する。【０１０３】
図１９は、本実施形態における端末装置２の受信処理部４０３の内部構成を示す概略ブロック図である。端末装置２の受信処理部４０３は、受信ＲＦ部５０１と、Ａ／Ｄ部５０２と、シンボルタイミング検出部５０３と、ＧＩ除去部５０４と、ＦＦＴ部５０５と、多重分離部５０６と、チャネル推定部５０７と、チャネル補償部（データチャネル用）５０８と、Ｐ／Ｓ部５０９と、デインターリーバ部５１０と、データ復調部５１１と、ターボ復号部５１２と、チャネル補償部（制御チャネル用）５１３と、デインターリーバ部５１４と、ＱＰＳＫ復調部５１５と、ビタビデコーダ部５１６を有する。【０１０４】
受信ＲＦ部５０１は、アンテナで受信した信号を、適切に増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。
Ａ／Ｄ部５０２は、直交復調されたアナログ信号をディジタル信号に変換する。
シンボルタイミング検出部５０３は、Ａ／Ｄ部５０２の出力したディジタル信号に基づいて、シンボル（シンボル境界）のタイミングを検出する。【０１０５】
ＧＩ除去部５０４は、Ａ／Ｄ部５０２の出力したディジタル信号からシンボルタイミング検出部５０３からの制御信号に基づいてガードインターバルに相当する部分を除去する。
ＦＦＴ部５０５は、入力された信号を高速フーリエ変換し、ＯＦＤＭ方式の復調を行う。
多重分離部５０６は、受信した信号から制御チャネル及びデータチャネルを分離して、出力する。この分離方法は、送信側の無線フレーム内における多重化に対応して行われ、図１に示す無線フレームの場合、時間多重化された制御チャネルとデータチャネルの分離を行う。【０１０６】
チャネル推定部５０７は、図示しない受信した参照信号に相当する信号と既知の参照信号とを用いてチャネルの状況を推定し、チャネル変動を補償するように、振幅及び位相を調整するための制御信号を出力する。この制御信号はサブキャリア毎に出力される。
チャネル補償部５１３は、多重分離部５０６が分離したデータチャネルの振幅及び位相を、チャネル推定部５０７からの情報に従ってサブキャリア毎に調整する。
Ｐ／Ｓ部５０９は、チャネル補償部５０８が出力した並列的な信号系列を直列の信号系列に変換する。【０１０７】
デインターリーバ部５１０は、Ｐ／Ｓ部５０９が出力した信号の並ぶ順序を所定のパターンに従って変更する。所定のパターンは、基地局装置１のインターリーバ部２１３で行われる並べ換えの逆パターンに相当する。
データ復調部５１１は、デインターリーブしたデータチャネルの復調を行う。基地局装置１のデータ変調部２１２で用いた変調方式に対応して行われる。また、Ｃｈａｓｅ  ｃｏｍｂｉｎｉｎｇ法のＨＡＲＱ機能として、誤りを検出したデータチャネルと再送信されたデータチャネルの合成がデータ復調部５１１において行われる。【０１０８】
ターボ復号部５１２は、データ復調部５１１が復調したデータチャネルから、トラフィック情報データを復号する。また、ＨＡＲＱの機能のＩｎｃｒｅｍｅｎｔａｌ  Ｒｅｄｕｎｄａｎｃｙ法のＨＡＲＱ機能として、誤りを検出したデータチャネルと再送信されたデータチャネルとを併せた復号がターボ復号部５１２において行われる。
チャネル補償部５１３は、多重分離部５０６が分離した制御チャネルの振幅及び位相を、チャネル推定部５０７からの情報に従って調整する。【０１０９】
デインターリーバ部５１４は、チャネル補償部５１３が出力した信号の並ぶ順序を所定のパターンに従って変更する。所定のパターンは、基地局装置１のインターリーバ部２２３で行われる並べ換えの逆パターンに相当する。
ＱＰＳＫ復調部５１５は、デインターリーブした制御チャネルのＱＰＳＫ復調を行う。
ビタビデコーダ部５１６は、ＱＰＳＫ復調部５１５が復調した制御チャネルから、制御情報データを復号する。【０１１０】
ここで、制御チャネルに対する処理は、無線フレーム内にマッピングされた全ての制御チャネルに対して行う。検出した制御データ内に含まれる端末装置識別子、又は端末装置群識別子が自端末装置識別子、又は自端末装置群識別子である場合に制御データ内に含まれるその他の情報、例えばリソース割り当て情報を使用して、データチャネルの受信処理を行う。【０１１１】
なお、端末装置識別子、又は端末装置群識別子は、誤り検出用のＣＲＣ（Cyclic Redundancy Check）符号とは別に情報が構成されるのではなく、併せて情報を示す構成とすることもできる。例えば、予め決められた生成多項式を用いてデータからＣＲＣ符号を生成し、端末装置識別子、又は端末装置群識別子と排他的論理和をとった情報を制御チャネル内に構成する。受信側は、前記操作の逆処理を行うことにより、誤り検出と共に自端末装置宛て、又は自端末装置群宛ての制御チャネルであるかを検出する。【０１１２】
制御部４０１は、ビタビデコーダ部５１６が復号した制御データに基づき、データ復調部５１１、ターボ復号部５１２、多重分離部５０６、送信処理部４０２を制御する。この制御データには、リソース割り当て情報、変調方式・符号化率、ペイロードサイズ、再送パラメータが含まれる。なお、グループスケジューリングＵＥに対する制御データには、変調方式・符号化率、ペイロードサイズ、再送パラメータなどが省略される場合もある。【０１１３】
図２０は、本実施形態における端末装置２の送信処理部４０２の内部構成を示す概略ブロック図である。図２０に示すように、端末装置２の送信処理部４０２は、ターボ符号部６０１と、データ変調部６０２と、インターリーバ部６０３と、Ｓ／Ｐ部６０４と、ＦＦＴ部６０５と、拡散部６０６と、マッピング部６０７と、ＩＦＦＴ部６０８と、ＧＩ挿入部６０９と、Ｄ／Ａ部６１０と、送信ＲＦ部６１１とを有する。【０１１４】
ターボ符号部６０１は、データの誤り耐性を高めるための符号化を行う。この符号化における符号化率は、基地局装置１より送信される下りリンクの制御チャネルを用いて通知され、制御部４０１から指示される。
データ変調部６０２は、符号化されたデータを変調する。この変調における変調方式は、基地局装置１より送信される下りリンクの制御チャネルを用いて通知され、制御部４０１から指示される。【０１１５】
インターリーバ部６０３は、変調されたデータの並ぶ順序を所定のパターンに従って並べ換える。
Ｓ／Ｐ部６０４は、インターリーバ部６０３が出力した直列的な信号系列を並列的な信号系列に変換する。
ＦＦＴ部６０５は、Ｓ／Ｐ部６０４からの時間領域の入力信号を周波数領域の信号に変換する。
拡散部６０６は、制御データ（受信応答信号）を拡散する。拡散部６０６において用いる符号シーケンスは制御部４０１より通知される。制御部４０１より通知される符号シーケンスは、下りリンクで受信した制御チャネルのリソース割り当て情報、又は下りリンクのデータチャネルに含められた上りリンク受信応答信号（制御チャネルに相当）の無線リソース割り当て情報より決定される。
マッピング部６０７は、レート変換を行って、サブキャリア数（ＦＦＴポイント数）を拡大し、制御部４０１より通知された位置に、ＦＦＴ部６０５、又は拡散部６０６からの入力信号をマッピングして、出力する。【０１１６】
制御チャネル（受信応答信号）のマッピング位置（周波数位置）は、下りリンクで受信した制御チャネルのリソース割り当て情報、又は下りリンクのデータチャネルに含められた上りリンク受信応答信号（制御チャネルに相当する。）の無線リソース割り当て情報より決定される。データチャネルの位置は、受信したリソース割り当て情報により示される位置である。なお、信号がマッピングされなかったサブキャリアには０を入力する。【０１１７】
ＩＦＦＴ部６０８は、マッピング部６０７からの周波数領域の入力信号を時間領域の信号に変換する。ここで、このＩＦＦＴ部６０８のポイント数はＦＦＴ部６０５より大きい。
ＧＩ挿入部６０９は、ＩＦＦＴ部６０８の出力信号にガードインターバルを付加する。
Ｄ／Ａ部６１０は、ＧＩ挿入部６０９からのベースバンドのディジタル信号をアナログ信号に変換する。
送信ＲＦ部６１１は、Ｄ／Ａ部６１０から入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、アンテナＡ２に出力する。【０１１８】
なお、前記制御チャネルはデータチャネルを伴わない場合の制御データの送信に用いる。つまり、下りリンクでデータチャネルを受信し、上りリンクで送信する制御データとして受信応答信号のみを送信する場合などに前記制御チャネルを用いて送信する。また、制御チャネルの送信時にはガードインターバルを挿入しない構成とすることもできる。【０１１９】
＜ダイナミックスケジューリングＵＥの場合の処理手順＞
次に、端末装置２が受信応答信号を送信し、基地局装置１が受信応答信号を受信するまでの処理手順について説明する。【０１２０】
図２１に、端末装置２がダイナミックスケジューリングＵＥの場合の手順について示す。図２１において、基地局装置１は、端末装置２よりフィードバックされたＣＱＩ（Channel Quality Information）、ＱｏＳ（Quality of service）、バッファ状況などに応じて端末装置２に無線リソースを割り当てるスケジューリングを実行する（ステップＳ１０１）。【０１２１】
基地局装置１は、スケジューリング決定に従って、制御チャネル及びデータチャネルを構成する（ステップＳ１０２）。ダイナミックスケジューリングＵＥに対する制御チャネルは、端末装置識別子、データチャネルが配置されるリソースを示したリソース割り当て情報、無線リソース制御部１０１により決定された変調方式・符号化率、ペイロードサイズ、マルチアンテナ関連情報、再送パラメータが構成され、データチャネルは無線リソース制御部１０１により決定された変調方式・符号化率で変調されている。また、リソースを割り当てた全ての端末装置（ダイナミックスケジューリングＵＥ、グループスケジューリングＵＥ）の状況に応じて、端末装置が受信応答信号を送信する無線リソースを決定し、その無線リソースに関する情報をデータチャネルに含める。【０１２２】
次に、基地局装置１は制御チャネル及びデータチャネルを送信する（ステップＳ１０３）。制御チャネルは、無線フレームの少なくとも一つの制御チャネル用の無線リソースを用いて送信され、データチャネルは割り当てられた無線リソースを用いて送信される。
端末装置２は、制御チャネル及びデータチャネルを受信する（ステップＳ１０４）。なお、この時点では全てのデータチャネルを受信する。【０１２３】
端末装置２は、受信した全ての制御チャネル内の端末装置識別子を検出する（ステップＳ１０５）。
端末装置２は、端末装置識別子を検出した制御チャネル内に示されたリソース割り当て情報を基にデータチャネルを復調・復号し、データチャネル内の受信応答信号の無線リソース情報を検出する（ステップＳ１０６）。【０１２４】
端末装置２は、データを誤りなく検出したことを示す受信応答信号を、検出した受信応答信号の無線リソース情報に示される無線リソースを用いて送信する（ステップＳ１０７）。
基地局装置１は、端末装置に通知した無線リソースで受信応答信号を受信する（ステップＳ１０８）。なお、端末装置２はデータに誤りを検出した場合には受信応答信号を送信しない。基地局装置１は、受信応答信号を検出しなかった場合、送信したデータチャネルが誤ったものと認識する。ここで、受信応答信号の送信に割り当てた無線リソースにおける受信信号の電力が任意の閾値より下回った場合に、受信応答信号を検出しなかったと判断する。【０１２５】
＜グループスケジューリングＵＥの場合の処理手順＞
図２２に、端末装置２がグループスケジューリングＵＥの場合の手順について示す。図２２において、基地局装置１は、端末装置２よりフィードバックされたＣＱＩ、ＱｏＳ、バッファ状況などに応じて端末装置に無線リソースを割り当てるスケジューリングを実行する（ステップＳ２０１）。
なお、グループスケジューリングＵＥはＣＱＩをフィードバックせず、基地局装置１はグループスケジューリングＵＥに対してはＣＱＩに基づくＣｈａｎｎｅｌ  ｄｅｐｅｎｄｅｎｔ  ｓｃｈｅｄｕｌｉｎｇを適用しない。【０１２６】
基地局装置１は、スケジューリング決定に従って、制御チャネル及びデータチャネルを構成する（ステップＳ２０２）。グループスケジューリングＵＥに対する制御チャネルは、端末装置群識別子、データチャネルが配置されるリソースを示したリソース割り当て情報が構成され、データチャネルは予め決定された変調方式・符号化率で変調されている。
なお、リソース割り当て情報を削減し、ペイロードサイズ、変調方式・符号化率を含めた構成とすることもできる。また、基地局装置１は、グループスケジューリングＵＥのリソース割り当て情報の構成に応じて、グループスケジューリングＵＥが受信応答信号を送信する無線リソースを認識する。【０１２７】
次に、基地局装置１は制御チャネル及びデータチャネルを送信する（ステップＳ２０３）。制御チャネルは、無線フレームの少なくとも一つの制御チャネル用の無線リソースを用いて送信され、データチャネルは割り当てられた無線リソースを用いて送信される。
端末装置２は、制御チャネル及びデータチャネルを受信する（ステップＳ２０４）。なお、この時点では全てのデータチャネルを受信することが基本だが、グループスケジューリングＵＥに対しては制御チャネルを受信するタイミング、無線リソースを予め決めておいても良い。【０１２８】
端末装置２は、基地局装置１から送信されてきた制御チャネル及びデータチャネルを受信し（ステップＳ２０４）、受信した全ての制御チャネル内の端末装置群識別子を検出する（ステップＳ２０５）。
端末装置２は、端末装置群識別子を検出した制御チャネル内に示されたリソース割り当て情報を基にデータチャネルを復調・復号し、制御チャンネル内のリソース割り当て情報より受信応答信号の無線リソースを検出する（ステップＳ２０６）。【０１２９】
端末装置２は、データを誤りなく検出したことを示す受信応答信号を、リソース割り当て情報の構成に基づいて無線リソースを決定し、その無線リソースを用いて送信する（ステップＳ２０７）。
基地局装置１は、リソース割り当て情報の構成に応じて認識した無線リソースで受信応答信号を受信する（ステップＳ２０８）。【０１３０】
なお、端末装置２はデータに誤りを検出した場合には受信応答信号を送信しない。基地局装置１は、受信応答信号を検出しなかった場合、送信したデータチャネルが誤ったものと認識する。ここで、受信応答信号の送信に割り当てた無線リソースにおける受信信号の電力が任意の閾値より下回った場合に、受信応答信号を検出しなかったと判断する。
なお、ダイナミックスケジューリングＵＥに対する上りリンク受信応答信号の無線リソース情報はデータチャネルではなく、制御チャネルに含めるようにすることもできる。【０１３１】
上述した実施形態によれば、基地局装置１はグループスケジューリングを行う端末装置２の下りリンクデータチャネルのリソース割り当て情報を下りリンク制御チャネルで通知し、端末装置２は下りリンク制御チャネルを受信し、下りリンク制御チャネルの下りリンクデータチャネルのリソース割り当て情報の構成に応じて受信応答信号の無線リソースを検出し、また、基地局装置１は、リソース割り当て情報の構成に応じて、グループスケジューリングが行われる端末装置２の受信応答信号の送信に用いる無線リソースを認識するようにしている。
これにより、予約された周波数ユニットにおいて、上りリンク受信応答信号の送信に用いる周波数ユニットでは符号シーケンスを十分にできる限り使用し、上りリンク受信応答信号の送信に用いない周波数ユニットはデータチャネルに割り当てることができ、上りリンク無線リソースを有効に使用し、上りリンクの周波数効率を改善することができる。【０１３２】
＜変形例、応用例＞
なお、上記実施形態では下りリンクのスケジューリングについて説明したが、上りリンクのスケジューリングにおいても適用できる。上りリンクのリソース割り当て情報は下りリンクのリソース割り当て情報と同様に下りリンク制御チャネルに含めて送信する。その際、リソース割り当て情報はダイナミックスケジューリング用、またはグループスケジューリング用のリソース割り当て情報から構成される。上りリンクのデータ送信に対する下りリンク受信応答信号の無線リソースインデックスは、上りリンクダイナミックスケジューリングＵＥについては下りリンク制御チャネル、または下りリンクデータチャネル内に受信応答信号の無線リソース情報含めて送信し、上りリンクグループスケジューリングＵＥについては下りリンク制御チャネルに含めて送信されたデータチャネルのリソース割り当て情報の構成に応じて自端末装置に割り当てられる無線リソースインデックスを認識する。
なお、本発明はデータチャネルの初期送信にグループスケジューリングを適用した無線通信システムに限らず、再送信にのみグループスケジューリングを適用した無線通信システムにも適用できる。【０１３３】
なお、図１５における無線リソース制御部１０１、制御部１０２、送信処理部１０３、受信処理部１０４、および、図１８における制御部４０１、送信処理部４０２、受信処理部４０３の機能又はこれらの機能の一部を実現するためのプログラムをコンピュータ読み取り可能な記録媒体に記録して、この記録媒体に記録されたプログラムをコンピュータシステムに読み込ませ、実行することによりこれら各部の処理を行っても良い。なお、ここでいう「コンピュータシステム」とは、ＯＳや周辺機器等のハードウェアを含むものとする。【０１３４】
本発明に関わる基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。【０１３５】
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであっても良い。【０１３６】
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。【０１３７】
また市場に流通させる場合には、可搬型の記録媒体にプログラムを格納して流通させたり、インターネット等のネットワークを介して接続されたサーバコンピュータに転送したりすることができる。この場合、インターネット等のネットワークや電話回線等の通信回線を介してプログラムを送信する場合の通信線のように、短時間の間、動的にプログラムを保持するもの、その場合のサーバコンピュータとなるコンピュータシステム内部の揮発性メモリやハードディスクなどの記憶装置のように、一定時間プログラムを保持しているものも本発明の記録媒体に含まれる【０１３８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１３９】
基地局装置と通信する端末装置に対して効率的に無線リソースを割り当てることができる端末装置、基地局装置、無線通信システム、プログラム及び無線通信方法に適用できる。
【図１】
2008155931.tif 000003
【図２】
2008155931.tif 000004
【図３】
2008155931.tif 000005
【図４】
2008155931.tif 000006
【図５】
2008155931.tif 000007
【図６】
2008155931.tif 000008
【図７】
2008155931.tif 000009
【図８】
2008155931.tif 000010
【図９】
2008155931.tif 000011
【図１０】
2008155931.tif 000012
【図１１】
2008155931.tif 000013
【図１２】
2008155931.tif 000014
【図１３】
2008155931.tif 000015
【図１４】
2008155931.tif 000016
【図１５】
2008155931.tif 000017
【図１６】
2008155931.tif 000018
【図１７】
2008155931.tif 000019
【図１８】
2008155931.tif 000020
【図１９】
2008155931.tif 000021
【図２０】
2008155931.tif 000022
【図２１】
2008155931.tif 000023
【図２２】
2008155931.tif 000024
【国際調査報告】
2008155931.tif 000025
2008155931.tif 000026